(57)【特許請求の範囲】
【請求項１】
被写体光を受光して、被写体像に関する画像信号を生成する撮像素子と、
表示部と、
前記被写体光の光路上に配置され、前記被写体光の光路を変更するミラー部と、
前記ミラー部によって光路変更された前記被写体光を測距センサで受光して、位相差検出信号を生成する位相差検出部と、
前記測距センサで位相差検出が行われた第１エリアにおける前記位相差検出信号に基づいて第１合焦制御を行う第１合焦手段と、
前記ミラー部を前記光路から退避させるミラー制御手段と、
前記ミラー部が前記光路から退避した状態で、前記撮像素子によって順次に生成される画像信号に基づいて、前記表示部に本撮影前のプレビュー画像を表示させる表示制御手段と、
前記撮像素子の第２エリアから取得される出力信号に基づいて第２合焦制御を行う第２合焦手段と、
前記撮像素子において前記第１エリアに対応した位置に前記第２エリアを規定するエリア規定手段と
を備え、前記ミラー部が前記光路から退避した状態において前記被写体像を光学ファインダに表示させる光学ファインダモードと、前記ミラー部が前記光路から退避していない状態において前記表示部に前記被写体像を表示させる電子ファインダモードとを切替可能な撮像装置において、
前記表示制御手段は、前記ミラー部が前記光路から退避していない状態において前記第１合焦制御の対象となる前記第１エリアおよび前記ミラー部が前記光路から退避した状態において前記第２合焦制御の対象となる前記第２エリアを合成して、前記ミラー部が前記光路から退避した状態における前記プレビュー画像に合成して表示させ、
前記プレビュー画像が表示される際には、前記第２合焦手段による前記第２合焦制御が行われる撮像装置。
【請求項２】
前記出力信号は、前記撮像素子によって生成される前記画像信号である
請求項１記載の撮像装置。
【請求項３】
前記撮像素子は、撮像面において位相差検出用の受光素子を有し、
前記出力信号は、前記受光素子から出力される信号である
請求項１記載の撮像装置。
【請求項４】
前記表示制御手段は、前記第１エリアを前記表示部に表示させる第１の表示モードと、前記第１エリアおよび前記第２エリアを前記表示部に表示させる第２の表示モードとを択一的に有効化させる表示モード変更手段を有する
請求項１記載の撮像装置。
【発明の詳細な説明】
【技術分野】
【０００１】
本発明は、光学ファインダ機能と電子ファインダ機能とを備えた撮像装置に関する。
【背景技術】
【０００２】
一眼レフレックスタイプ(以下では「一眼レフタイプ」とも略称する)のデジタルカメラでは、被写体の確認は一般に光学ファインダで行われるが、被写体を動画的態様にてモニタに表示する電子ファインダ機能を有するものが提案されている（特許文献１）。
【０００３】
そして、特許文献１では、電子ファインダを用いて（電子ファインダモードで）構図決め操作を行う場合は、ミラーアップ状態でコントラスト検出方式のＡＦ制御を行い、光学ファインダを用いて（光学ファインダモードで）構図決め操作を行う場合は、ミラーダウン状態で位相差検出方式のＡＦ制御を行う技術が提案されている。
【０００４】
ここで、ミラーダウン状態で行われる位相差検出方式のＡＦ制御では、通常、ラインセンサ等の測光センサを有する位相差ＡＦモジュールが用いられるが、位相差ＡＦモジュールでは原理上ＡＦエリアの数を多くとることができない。これに対して、コントラスト検出方式のＡＦ制御では、撮像面内に多くのＡＦエリアを規定することができる。
【０００５】
【特許文献１】特開２００６−２５１０６５号公報
【発明の開示】
【発明が解決しようとする課題】
【０００６】
このため、上記特許文献１に記載の技術では、電子ファインダモードでの構図決め操作においてピント合わせしたいＡＦエリア（「ＡＦ対象エリア」とも称する）を決定した後に、ファインダモードを光学ファインダモードに変更すると、ＡＦ対象エリアの位置に位相差検出方式のＡＦ制御に用いられるＡＦエリアが存在しない可能性がある。このような場合には、ユーザは再度の画角合わせを行うことになり、操作が煩雑となる。
【０００７】
そこで、本発明は、電子ファインダモード実行後に、位相差検出方式のＡＦ制御が行われる場合に、再度の画角合わせを回避することが可能な撮像装置を提供することを目的とする。
【課題を解決するための手段】
【０００８】
本発明の第１の側面は、撮像装置であって、被写体光を受光して、被写体像に関する画像信号を生成する撮像素子と、表示部と、測距センサで前記被写体光を受光して、位相差検出信号を生成する位相差検出部と、前記位相差検出信号に基づいて第１合焦制御を行う第１合焦手段と、前記撮像素子によって順次に生成される画像信号に基づいて、前記表示部に本撮影前のプレビュー画像を表示させる表示制御手段とを備え、前記表示制御手段は、前記測距センサで位相差検出が行われる第１エリアを前記プレビュー画像に合成して表示させることを特徴とする。
【０００９】
また、本発明の第２の側面は、撮像装置であって、撮影光学系から入射される被写体光を受光して、被写体像に関する画像信号を生成する撮像素子と、表示部と、前記被写体光の光路上に配置され、前記被写体光の光路を変更するミラー部と、前記ミラー部によって光路変更された前記被写体光を測距センサで受光して、撮影領域の所定位置に設定された第１エリアにおける位相差検出信号を生成する位相差検出部と、前記位相差検出信号に基づいて第１合焦制御を行う第１合焦手段と、前記ミラー部を前記光路から退避させるミラー制御手段と、前記ミラー部が前記光路から退避した状態で、前記撮像素子によって順次に生成される画像信号に基づいて、前記表示部に本撮影前のプレビュー表示を行う表示制御手段とを備え、前記表示制御手段は、前記プレビュー表示の際に、前記測距センサで位相差検出が行われる第１エリアを前記表示部に表示させることを特徴とする。
【発明の効果】
【００１０】
本発明によれば、位相差検出部の測距センサで位相差検出が行われる第１エリアを、プレビュー画像に合成して表示するので、測距センサによって生成される位相差検出信号に基づいた第１合焦制御を行う場合に、再度の画角合わせを回避することが可能となる。
【発明を実施するための最良の形態】
【００１１】
＜１．第１実施形態＞
＜撮像装置１Ａの外観構成＞
図１および図２は、本発明の第１実施形態に係る撮像装置１Ａの外観構成を示す図である。ここで、図１および図２は、それぞれ正面図および背面図を示している。
【００１２】
撮像装置１Ａは、例えば一眼レフレックスタイプのデジタルスチルカメラとして構成されており、カメラボディ１０と、カメラボディ１０に着脱自在な撮影レンズとしての交換レンズ２とを備えている。
【００１３】
具体的には、図１に示されるように、カメラボディ１０の正面側には、正面略中央に交換レンズ２が装着されるマウント部３０１と、マウント部３０１の右横に配置されたレンズ交換ボタン３０２と、把持可能とするためのグリップ部３０３と、正面左上部に配置されたモード設定ダイアル３０５と、正面右上部に配置された制御値設定ダイアル３０６と、グリップ部３０３の上面に配置されたシャッターボタン３０７とが設けられている。
【００１４】
交換レンズ２は、被写体からの光（被写体光）を取り込むレンズ窓として機能するとともに、当該被写体光をカメラボディ１０の内部に配置されている撮像素子１０１に導くための撮影光学系として機能する。
【００１５】
より詳細には、交換レンズ２は、光軸ＬＴに沿って直列的に配置された複数のレンズからなるレンズ群２１を備えている(図５参照)。このレンズ群２１には、焦点の調節を行うためのフォーカスレンズ２１１(図５)と、変倍を行うためのズームレンズ２１２(図５)とが含まれており、それぞれ光軸ＬＴ(図３参照)方向に駆動されることで、焦点調節または変倍が行われる。また、交換レンズ２には、その鏡胴の外周適所に該鏡胴の外周面に沿って回転可能な操作環が備えられており、上記のズームレンズ２１２は、マニュアル操作或いはオート操作により、上記操作環の回転方向および回転量に応じて光軸方向に移動し、その移動先の位置に応じたズーム倍率(撮影倍率)に設定されるようになっている。
【００１６】
マウント部３０１には、装着された交換レンズ２との電気的接続を行うためコネクタＥｃ(図５参照)、および機械的接続を行うためのカプラ７５(図５)が設けられている。
【００１７】
レンズ交換ボタン３０２は、マウント部３０１に装着された交換レンズ２を取り外す際に押下されるボタンである。
【００１８】
グリップ部３０３は、撮影者（ユーザ）が撮影時に撮像装置１Ａを把持する部分であり、フィッティング性を高めるために指形状に合わせた表面凹凸が設けられている。なお、グリップ部３０３の内部には電池収納室およびカード収納室(不図示)が設けられている。電池収納室には撮像装置１Ａの電源として電池６９Ｂ(図５参照)が収納されており、カード収納室には撮影画像の画像データを記録するためのメモリカード６７(図５)が着脱可能に収納されるようになっている。なお、グリップ部３０３には、当該グリップ部３０３をユーザが把持したか否かを検出するためのグリップセンサを設けるようにしても良い。
【００１９】
モード設定ダイアル３０５および制御値設定ダイアル３０６は、カメラボディ１０の上面と略平行な面内で回転可能な略円盤状の部材からなる。モード設定ダイアル３０５は、撮像装置１Ａに搭載された各種モード（各種撮影モード（人物撮影モード、風景撮影モードおよびフルオート撮影モード等）、撮影した画像を再生する再生モードおよび外部機器との間でデータ交信を行う通信モード等）の選択を行うためのものである。一方、制御値設定ダイアル３０６は、撮像装置１Ａに搭載された各種の機能に対する制御値を設定するためのものである。
【００２０】
シャッターボタン３０７は、途中まで押し込んだ「半押し状態」と、さらに押し込んだ「全押し状態」とを検出可能な押下スイッチである。撮影モードにおいてシャッターボタン３０７が半押し（Ｓ１）されると、被写体の静止画を撮影するための準備動作（露出制御値の設定および焦点検出等の準備動作）が実行され、シャッターボタン３０７が全押し（Ｓ２）されると、撮影動作（撮像素子１０１(図３参照)を露光し、その露光によって得られた画像信号に所定の画像処理を施してメモリカード等に記録する一連の動作）が実行される。
【００２１】
また、図２に示されるように、カメラボディ１０の背面側には、表示部として機能するＬＣＤ（Liquid Crystal Display）３１１と、ＬＣＤ３１１の上方に配設されたファインダ窓３１６と、ファインダ窓３１６の周囲を囲むアイカップ３２１と、ファインダ窓３１６の左方に配設されたメインスイッチ３１７と、ファインダ窓３１６の右方に配設された露出補正ボタン３２３およびＡＥロックボタン３２４と、ファインダ窓３１６の上方に配設されたフラッシュ部３１８および接続端子部３１９とが備えられている。また、カメラボディ１０の背面側には、ＬＣＤ３１１の左方に配置された設定ボタン群３１２と、ＬＣＤ３１１の右方に配置された方向選択キー３１４と、方向選択キー３１４の中央に配置されたプッシュボタン３１５と、方向選択キー３１４の右下方に配置された表示切替スイッチ８５とが備えられている。
【００２２】
ＬＣＤ３１１は、画像表示が可能なカラー液晶パネルを備えており、撮像素子１０１(図３参照)により撮像された画像の表示または記録済みの画像の再生表示等を行うとともに、撮像装置１Ａに搭載される機能またはモードの設定画面を表示するものである。なお、ＬＣＤ３１１に代えて、有機ＥＬ表示装置またはプラズマ表示装置を用いるようにしても良い。
【００２３】
ファインダ窓（接眼窓）３１６は、光学ファインダ（ＯＶＦ）を構成し、ファインダ窓３１６には、交換レンズ２を通過した被写体像を形成する光（被写体光）が導かれている。ユーザは、このファインダ窓３１６を覗くことによって、実際に撮像素子１０１にて撮影される被写体像を視認することができる。
【００２４】
メインスイッチ３１７は、左右にスライドする２接点のスライドスイッチからなり、左にセットすると撮像装置１Ａの電源がオンされ、右にセットすると電源がオフされる。
【００２５】
フラッシュ部３１８は、ポップアップ式の内蔵フラッシュとして構成されている。一方、外部フラッシュ等をカメラボディ１０に取り付ける場合には、接続端子部３１９を使用して接続する。
【００２６】
アイカップ３２１は、ファインダ窓３１６への外光の侵入を抑制する「コ」字状の遮光部材である。
【００２７】
露出補正ボタン３２３は、露出値（絞り値およびシャッタースピード）を手動で調整するためのボタンであり、ＡＥロックボタン３２４は、露出を固定するためのボタンである。
【００２８】
設定ボタン群３１２は、撮像装置１Ａに搭載された各種の機能に対する操作を行うボタンである。この設定ボタン群３１２には、例えばメニュー画面をＬＣＤ３１１に表示させるメニューボタン、メニュー画面の内容を切り替えるメニュー切替ボタンなどが含まれる。
【００２９】
方向選択キー３１４は、円周方向に一定間隔で配置された複数の押圧部（図中の三角印の部分）を備える環状の部材を有し、各押圧部に対応して備えられた図示省略の接点（スイッチ）により押圧部の押圧操作が検出されるように構成されている。また、プッシュボタン３１５は、方向選択キー３１４の中央に配置されている。方向選択キー３１４およびプッシュボタン３１５は、撮影倍率の変更（ズームレンズ２１２(図５参照)のワイド方向またはテレ方向への移動）、ＬＣＤ３１１等に再生する記録画像のコマ送り、および撮影条件（絞り値、シャッタースピード、フラッシュ発光の有無等）の設定等の指示を入力するためのものである。
【００３０】
表示切替スイッチ８５は、２点のスライドスイッチからなり、接点を上段の「光学」位置に設定すると光学ファインダモード（「ＯＶＦモード」とも称する）が選択され、光学ファインダ視野内に被写体像が表示される。これにより、ユーザは、ファインダ窓３１６を介して光学ファインダ視野内に表示される被写体像を視認することによって、構図決め操作（フレーミング）を行うことが可能になる。
【００３１】
一方、表示切替スイッチ８５の接点を下段の「モニタ」位置に設定すると電子ファインダモード（「ＥＶＦモード」または「ライブビューモード」とも称する）が選択され、ＬＣＤ３１１において被写体像に係るライブビュー画像が動画的態様にて表示される。これにより、ユーザは、ＬＣＤ３１１に表示されるライブビュー画像を視認することによって、フレーミングを行うことが可能になる。
【００３２】
このように、ユーザは、表示切替スイッチ８５の操作によって、ファインダモードを切り替えることが可能であり、撮像装置１Ａでは、ライブビュー表示が行われる電子ファインダ、或いは光学ファインダを用いて被写体の構図決めを行うことが可能である。
【００３３】
＜撮像装置１Ａの内部構成＞
次に、撮像装置１Ａの内部構成について説明する。図３および図４は、撮像装置１Ａの縦断面図である。図３に示すように、カメラボディ１０の内部には、撮像素子１０１、ファインダ部１０２（ファインダ光学系）、ミラー部１０３、位相差ＡＦモジュール（単に「ＡＦモジュール」とも称する）１０７等が備えられている。
【００３４】
撮像素子１０１は、カメラボディ１０に交換レンズ２が装着された場合の当該交換レンズ２が備えているレンズ群２１の光軸ＬＴ上において、光軸ＬＴに対して垂直に配置されている。撮像素子１０１としては、例えばフォトダイオードを有して構成される複数の画素がマトリクス状に２次元配置されたＣＭＯＳカラーエリアセンサ（ＣＭＯＳ型の撮像素子）が用いられる。撮像素子１０１は、交換レンズ２を通って結像された被写体像に関するＲ（赤）、Ｇ（緑）、Ｂ（青）各色成分のアナログの電気信号（画像信号）を生成し、Ｒ、Ｇ、Ｂ各色の画像信号として出力する。
【００３５】
また、撮像素子１０１は、その撮像面において位相差検出用の受光素子を有している。詳細は、後述する。
【００３６】
上記の光軸ＬＴ上において、被写体光をファインダ部１０２へ向けて反射される位置には、ミラー部１０３が配置されている。交換レンズ２を通過した被写体光は、ミラー部１０３（後述の主ミラー１０３１）によって上方へ反射されるとともに、被写体光の一部はこのミラー部１０３を透過する。
【００３７】
ファインダ部１０２は、ペンタプリズム１０５、接眼レンズ１０６およびファインダ窓３１６を備えている。ペンタプリズム１０５は、断面５角形を呈し、その下面から入射された被写体像を内部での反射によって当該光像の天地左右を入れ替えて正立像にするためのプリズムである。接眼レンズ１０６は、ペンタプリズム１０５により正立像にされた被写体像をファインダ窓３１６の外側に導く。このような構成により、ファインダ部１０２は、本撮影前の撮影待機時において被写界を確認するための光学ファインダとして機能する。
【００３８】
ミラー部１０３は、主ミラー１０３１およびサブミラー１０３２から構成されており、主ミラー１０３１の背面側において、サブミラー１０３２が主ミラー１０３１の背面に向けて倒れるように回動可能に設けられている。主ミラー１０３１を透過した被写体光の一部はサブミラー１０３２によって反射され、この反射された被写体光はＡＦモジュール１０７に入射される。
【００３９】
上記のミラー部１０３は、所謂クイックリターンミラーとして構成されており、例えば露光時(本撮影時)には（図４参照）、回転軸１０３３を支点として上方に向けて跳ね上がり、被写体光の光路から退避した状態（ミラーアップ状態）となる。この際、サブミラー１０３２は、上記のミラー部１０３がペンタプリズム１０５の下方位置で停止したときには、主ミラー１０３１と略平行となるように折り畳まれた状態となる。これにより、交換レンズ２からの被写体光がミラー部１０３によって遮られることなく撮像素子１０１上に届き、該撮影素子１０１が露光される。撮像素子１０１での撮像動作が終了すると、ミラー部１０３は元の位置（図３に示す位置）に復帰し、ミラーダウン状態となる。
【００４０】
また、ミラー部１０３を本撮影(画像記録用の撮影)の前にミラーアップ状態にすることにより、撮像装置１Ａは、撮像素子１０１で順次に生成される画像信号に基づき、動画的態様にて被写体をＬＣＤ３１１に表示させるライブビュー(プレビュー)表示が可能となる。
【００４１】
ＡＦモジュール１０７は、被写体のピント情報を検出する測距素子（「測距センサ」とも称する）等からなる所謂ＡＦセンサとして構成されている。このＡＦモジュール１０７は、ミラー部１０３の底部に配設されており、被写体像の合焦度合いに応じた位相差検出信号を発生させる位相差検出機能を有している。すなわち、撮影待機時においてユーザがファインダ窓３１６で被写体を確認する場合には、図３に示すように主ミラー１０３１およびサブミラー１０３２がダウンされた状態でＡＦモジュール１０７に被写体光が導かれるとともに、ＡＦモジュール１０７から位相差検出信号が出力される。
【００４２】
撮像素子１０１の光軸方向前方には、シャッターユニット４０が配置されている。このシャッターユニット４０は、上下方向に移動する幕体を備え、光軸ＬＴに沿って撮像素子１０１に導かれる被写体光の光路開口動作および光路遮断動作を行うメカニカルフォーカルプレーンシャッターとして構成されている。なお、シャッターユニット４０は、撮像素子１０１が完全電子シャッター可能な撮像素子である場合には省略可能である。
【００４３】
＜撮像装置１Ａの電気的構成＞
図５は、撮像装置１Ａの電気的な構成を示すブロック図である。ここで、図１〜図４と同一の部材等については、同一の符号を付している。なお、説明の便宜上、交換レンズ２の電気的構成について先ず説明する。
【００４４】
交換レンズ２は、上述した撮影光学系を構成するレンズ群２１に加え、レンズ駆動機構２４と、レンズ位置検出部２５と、レンズ制御部２６と、絞り駆動機構２７とを備えている。
【００４５】
レンズ群２１では、フォーカスレンズ２１１およびズームレンズ２１２と、撮像素子１０１へ入射される光量を調節するための絞り２３とが、鏡胴内において光軸ＬＴ(図３)方向に保持されており、レンズ群２１によって取り込まれた被写体光が撮像素子１０１に結像される。自動合焦（ＡＦ）制御では、フォーカスレンズ２１１が交換レンズ２内のＡＦアクチュエータ７１Ｍにより光軸ＬＴ方向に駆動されることで焦点調節が行われる。
【００４６】
フォーカス駆動制御部７１Ａは、レンズ制御部２６を介して全体制御部６２から与えられるＡＦ制御信号に基づき、フォーカスレンズ２１１を合焦位置に移動させるために必要な駆動制御信号を生成し、当該駆動制御信号を用いてＡＦアクチュエータ７１Ｍを制御する。ＡＦアクチュエータ７１Ｍは、ステッピングモータ等からなり、レンズ駆動機構２４にレンズ駆動力を与える。
【００４７】
レンズ駆動機構２４は、例えばヘリコイドおよび該ヘリコイドを回転させる図示省略のギア等で構成され、ＡＦアクチュエータ７１Ｍからの駆動力を受けて、フォーカスレンズ２１１等を光軸ＬＴと平行な方向に駆動させるものである。なお、フォーカスレンズ２１１の移動方向および移動量は、それぞれＡＦアクチュエータ７１Ｍの回転方向および回転数に従う。
【００４８】
レンズ位置検出部２５は、レンズ群２１の移動範囲内において光軸ＬＴ方向に複数個のコードパターンが所定ピッチで形成されたエンコード板と、このエンコード板に摺接しながらレンズと一体的に移動するエンコーダブラシとを備えており、レンズ群２１の焦点調節時の移動量を検出する。なお、レンズ位置検出部２４で検出されたレンズ位置は、例えばパルス数として出力される。
【００４９】
レンズ制御部２６は、例えば制御プログラムを記憶するＲＯＭまたは状態情報に関するデータを記憶するフラッシュメモリ等のメモリが内蔵されたマイクロコンピュータからなっている。
【００５０】
また、レンズ制御部２６は、コネクタＥｃを介してカメラボディ１０の全体制御部６２との間で通信を行う通信機能を有している。これにより、例えばレンズ群２１の焦点距離、絞り値、合焦距離または周辺光量状態等の状態情報データ、およびレンズ位置検出部２５で検出されるフォーカスレンズ２１１の位置情報を全体制御部６２に送信できるとともに、全体制御部６２から例えばフォーカスレンズ２１１の駆動量のデータを受信できる。
【００５１】
絞り駆動機構２７は、カプラ７５を介して絞り駆動アクチュエータ７６Ｍからの駆動力を受けて、絞り２３の絞り径を変更するものである。
【００５２】
続いて、カメラボディ１０の電気的構成について説明する。カメラボディ１０は、上述の撮像素子１０１、シャッターユニット４０等の他に、ＡＦＥ（アナログフロントエンド）５、画像処理部６１、画像メモリ６１４、全体制御部６２、フラッシュ回路６３、操作部６４、ＶＲＡＭ６５、カードＩ／Ｆ６６、メモリカード６７、通信用Ｉ／Ｆ６８、電源回路６９、電池６９Ｂ、ミラー駆動制御部７２Ａ、シャッター駆動制御部７３Ａ、および絞り駆動制御部７６Ａを備えている。
【００５３】
撮像素子１０１は、先に説明した通りＣＭＯＳカラーエリアセンサからなり、後述のタイミング制御回路５１により、当該撮像素子１０１の露光動作の開始（および終了）、撮像素子１０１が備える各画素の出力選択、および画素信号の読出し等の撮像動作が制御される。
【００５４】
ＡＦＥ５は、撮像素子１０１に対して所定の動作を行わせるタイミングパルスを与えるとともに、撮像素子１０１から出力される画像信号に所定の信号処理を施し、デジタル信号に変換して画像処理部６１に出力する機能を有している。このＡＦＥ５は、タイミング制御回路５１、信号処理部５２およびＡ／Ｄ変換部５３などを備えて構成されている。
【００５５】
タイミング制御回路５１は、全体制御部６２から出力される基準クロックに基づいて所定のタイミングパルス（垂直走査パルスφＶｎ、水平走査パルスφＶｍ、リセット信号φＶｒ等を発生させるパルス）を生成して撮像素子１０１に出力し、撮像素子１０１の撮像動作を制御する。また、所定のタイミングパルスを信号処理部５２およびＡ／Ｄ変換部５３にそれぞれ出力することにより、信号処理部５２およびＡ／Ｄ変換部５３の動作を制御する。
【００５６】
信号処理部５２は、撮像素子１０１から出力されるアナログの画像信号に所定のアナログ信号処理を施すものである。この信号処理部５２には、ＣＤＳ（相関二重サンプリング）回路、ＡＧＣ（オートゲインコントロール）回路およびクランプ回路等が備えられている。Ａ／Ｄ変換部５３は、信号処理部５２から出力されたアナログのＲ、Ｇ、Ｂの画像信号を、タイミング制御回路５１から出力されるタイミングパルスに基づいて、複数のビット（例えば１２ビット）からなるデジタルの画像信号に変換するものである。
【００５７】
画像処理部６１は、ＡＦＥ５から出力される画像データに所定の信号処理を行って画像ファイルを作成するもので、黒レベル補正回路６１１、ホワイトバランス制御回路６１２およびガンマ補正回路６１３等を備えて構成されている。なお、画像処理部６１へ取り込まれた画像データは、撮像素子１０１の読み出しに同期して画像メモリ６１４に一旦書き込まれ、以後この画像メモリ６１４に書き込まれた画像データにアクセスして、画像処理部６１の各ブロックにおいて処理が行われる。
【００５８】
黒レベル補正回路６１１は、Ａ／Ｄ変換部５３によりＡ／Ｄ変換されたＲ、Ｇ、Ｂの各デジタル画像信号の黒レベルを、基準の黒レベルに補正するものである。
【００５９】
ホワイトバランス制御回路６１２は、光源に応じた白の基準に基づいて、Ｒ(赤)、Ｇ(緑)、Ｂ(青)各色成分のデジタル信号のレベル変換（ホワイトバランス(ＷＢ)調整）を行う。具体的には、ホワイトバランス制御回路６１２は、全体制御部６２から与えられるＷＢ調整データに基づき、輝度または彩度データ等から撮影被写体において本来白色であると推定される部分を特定し、その部分のＲ、Ｇ、Ｂそれぞれの色成分の平均と、Ｇ／Ｒ比およびＧ／Ｂ比とを求め、これをＲ、Ｂの補正ゲインとしてレベル補正する。
【００６０】
ガンマ補正回路６１３は、ＷＢ調整された画像データの階調特性を補正するものである。具体的には、ガンマ補正回路６１３は、予め設定されたガンマ補正用テーブルを用いて、画像データのレベルを色成分毎に非線形変換するとともにオフセット調整を行う。
【００６１】
画像メモリ６１４は、撮影モード時には、画像処理部６１から出力される画像データを一時的に記憶するとともに、この画像データに対し全体制御部６２により所定の処理を行うための作業領域として用いられるメモリである。また、再生モード時には、メモリカード６７から読み出した画像データを一時的に記憶する。
【００６２】
全体制御部６２は、マイクロコンピュータとして構成され、主にＣＰＵ、メモリ、およびＲＯＭ等を備える。全体制御部６２は、ＲＯＭ内に格納されるプログラムを読み出し、当該プログラムをＣＰＵで実行することによって、撮像装置１Ａの各種機能を実現する。
【００６３】
全体制御部６２は、上述のプログラムの実行によって、表示制御部６２Ａ、位相差ＡＦ制御部６２ＢおよびコントラストＡＦ制御部６２Ｃを機能的に実現する。
【００６４】
表示制御部６２Ａは、ＬＣＤ３１１における表示内容を制御する。例えば、表示制御部６２Ａは、撮像素子１０１によって連続的に取得される複数の画像のそれぞれをライブビュー画像としてＬＣＤ３１１に順次に表示させる。
【００６５】
また、表示制御部６２Ａは、ＡＦ動作に用いられる焦点情報を取得する領域（「ＡＦエリア」、「測距エリア」または「フォーカスエリア」とも称する）Ｅｆをライブビュー画像に合成して重畳表示させる。詳細は、後述する。
【００６６】
位相差ＡＦ制御部６２Ｂは、位相差検出方式により合焦位置検出を行い自動合焦動作を実行する。具体的には、位相差ＡＦ制御部６２Ｂは、ＡＦモジュール１０７によって取得される位相差検出信号または位相差ＡＦ演算回路７７（後述）からの出力信号に基づいて、合焦時の撮影レンズ（より詳細にはフォーカスレンズ）の位置（合焦レンズ位置）を特定する合焦レンズ位置特定動作を行う。
【００６７】
コントラストＡＦ制御部６２Ｃは、コントラスト検出方式により合焦位置検出を行い自動合焦動作（「コントラストＡＦ動作」とも称する）を実行する。具体的には、コントラストＡＦ制御部６２Ｃは、異なるレンズ位置それぞれで取得される複数の撮影画像について被写体像のコントラストに応じた評価値をそれぞれ求める評価値算出動作と、当該評価値を最適化（例えば最小化）するレンズ位置を合焦レンズ位置として特定する合焦レンズ位置特定動作とを実行する。
【００６８】
フラッシュ回路６３は、フラッシュ撮影モードにおいて、フラッシュ部３１８または接続端子部３１９に接続される外部フラッシュの発光量を、全体制御部６２により設定された発光量に制御するものである。
【００６９】
操作部６４は、上述のモード設定ダイアル３０５、制御値設定ダイアル３０６、シャッターボタン３０７、設定ボタン群３１２、方向選択キー３１４、プッシュボタン３１５、およびメインスイッチ３１７等を含み、操作情報を全体制御部６２に入力するためのものである。
【００７０】
ＶＲＡＭ６５は、ＬＣＤ３１１の画素数に対応した画像信号の記憶容量を有し、全体制御部６２とＬＣＤ３１１との間のバッファメモリである。カードＩ／Ｆ６６は、メモリカード６７と全体制御部６２との間で信号の送受信を可能とするためのインターフェースである。メモリカード６７は、全体制御部６２で生成された画像データを保存する記録媒体である。通信用Ｉ／Ｆ６８は、パーソナルコンピュータまたはその他の外部機器に対する画像データ等の伝送を可能とするためのインターフェースである。
【００７１】
電源回路６９は、例えば定電圧回路等からなり、全体制御部６２等の制御部、撮像素子１０１、その他の各種駆動部等、撮像装置１Ａ全体を駆動させるための電圧を生成する。なお、撮像素子１０１への通電制御は、全体制御部６２から電源回路６９に与えられる制御信号により行われる。電池６９Ｂは、アルカリ乾電池等の一次電池、またはニッケル水素充電池等の二次電池からなり、撮像装置１Ａ全体に電力を供給する電源である。
【００７２】
ミラー駆動制御部７２Ａは、ファインダモードの切り替え或いは撮影動作のタイミングに合わせて、ミラー駆動アクチュエータ７２Ｍを駆動させる駆動信号を生成するものである。ミラー駆動アクチュエータ７２Ｍは、ミラー部１０３（クイックリターンミラー）を、水平姿勢若しくは傾斜姿勢に回動させるアクチュエータである。
【００７３】
シャッター駆動制御部７３Ａは、全体制御部６２から与えられる制御信号に基づき、シャッター駆動アクチュエータ７３Ｍに対する駆動制御信号を生成するものである。シャッター駆動アクチュエータ７３Ｍは、シャッターユニット４０の開閉駆動を行うアクチュエータである。
【００７４】
絞り駆動制御部７６Ａは、全体制御部６２から与えられる制御信号に基づき、絞り駆動アクチュエータ７６Ｍに対する駆動制御信号を生成するものである。絞り駆動アクチュエータ７６Ｍは、カプラ７５を介して絞り駆動機構２７に駆動力を与える。
【００７５】
また、カメラボディ１０は、黒レベル補正回路６１１から出力される黒レベル補正済みの画像データに基づき、オートフォーカス(ＡＦ)制御時に必要な演算を行う位相差ＡＦ演算回路７７を備えている。
【００７６】
以下では、この位相差ＡＦ演算回路７７からの出力信号を利用した位相差ＡＦ動作について詳述するとともに、撮像装置１Ａが実行可能なＡＦ動作について説明する。
【００７７】
＜撮像装置１ＡのＡＦ動作＞
撮像装置１Ａでは、撮影レンズの射出瞳のうちの異なった部分を透過(通過)した透過光を撮像素子１０１において受光することにより位相差ＡＦが可能な構成となっている。以下では、まず、この撮像素子１０１の構成と、この撮像素子１０１を利用した位相差ＡＦの原理とを説明する。図６および図７は、撮像素子１０１の構成を説明するための図である。
【００７８】
撮像素子１０１では、その撮像面１０１ｆにおいてマトリックス状に規定されたＡＦエリアＥｆ毎に位相差検出方式の焦点検出が可能な構成となっている(図６)。
【００７９】
各ＡＦエリアＥｆには、フォトダイオード上にＲ(赤)、Ｇ(緑)およびＢ(青)の各カラーフィルタが配設されたＲ画素１１１、Ｇ画素１１２およびＢ画素１１３からなる通常の画素(以下では「通常画素」とも称する)１１０が設けられるとともに、後述の遮光板１２ａ、１２ｂ(平行斜線部)を有した位相差ＡＦを行うための画素(以下では「ＡＦ画素」とも称する)１１ｆが設けられている(図７)。
【００８０】
そして、ＡＦエリアＥｆには、通常画素の水平ラインとしてＧ画素１１２とＲ画素１１１とが水平方向に交互に配置されたＧｒラインＬ１と、Ｂ画素１１３とＧ画素１１２とが水平方向に交互に配置されたＧｂラインＬ２とが形成されている。このＧｒラインＬ１とＧｂラインＬ２とが垂直方向に交互に配置されることによりベイヤー配列が構成される。
【００８１】
また、ＡＦエリアＥｆには、例えば上記通常画素の水平ライン６本毎にＡＦ画素１１ｆが水平方向に配列されたＡＦラインＬｆが形成されている。なお、ＡＦエリアＥｆ内には、例えば２０本程度のＡＦラインＬｆが設けられている。
【００８２】
次に、ＡＦラインＬｆを利用した位相差ＡＦの原理を、詳述する。
【００８３】
図８は、ＡＦラインＬｆを利用した位相差ＡＦの原理を説明するための図である。
【００８４】
ＡＦラインＬｆには、交換レンズ２に関する射出瞳の右側部分Ｑａからの光束Ｔａと左側部分Ｑｂからの光束Ｔｂとを分離させるための開口部ＯＰの位置が鏡面対象となっている遮光板１２ａ、１２ｂを有した一対の画素１１ａ、１１ｂが水平方向に配列されている。より詳細には、スリット状の開口部ＯＰが直下の光電変換部(フォトダイオード)ＰＤに対して右側に偏った遮光板１２ａを有する画素(以下では「第１ＡＦ画素」とも称する)１１ａと、スリット状の開口部ＯＰが直下の光電変換部ＰＤに対して左側に偏った遮光板１２ｂを有する画素(以下では「第２ＡＦ画素」とも称する)１１ｂとがＡＦラインＬｆで交互に配置されている(図７)。
【００８５】
これにより、射出瞳の右側部分Ｑａからの光束ＴａがマイクロレンズＭＬおよび遮光板１２ａの開口ＯＰを通過して第１ＡＦ画素１１ａの光電変換部ＰＤで受光され、射出瞳の左側部分Ｑｂからの光束ＴｂがマイクロレンズＭＬおよび遮光板１２ｂの開口ＯＰを通過して第２ＡＦ画素１１ｂの光電変換部ＰＤで受光されることとなる。換言すれば、一対の画素１１ａ、１１ｂでは、交換レンズ２の射出瞳における右側部分および左側部分(一対の部分領域)Ｑａ、Ｑｂを通過した被写体の光束Ｔａ、Ｔｂそれぞれが受光される。
【００８６】
以下では、第１ＡＦ画素１１ａの画素出力を「ａ系列の画素出力」と呼び、第２ＡＦ画素１１ｂの画素出力を「ｂ系列の画素出力」と呼ぶこととし、例えば、ある１本のＡＦラインＬｆに配置されたＡＦ画素１１ｆの画素配列から得られるａ系列の画素出力とｂ系列の画素出力との関係を、図９および図１０を参照して説明する。図９は、撮影レンズの射出瞳から入射される光束と、撮像素子１０１のＡＦ画素１１ｆとの関係を示す図である。図１０は、ＡＦラインＬｆの画素出力を示す図である。図１１は、画素出力のシフト量Ｓｆとデフォーカス量Ｄｆとを示す図である。
【００８７】
ＡＦラインＬｆでは、例えば図９に示すように射出瞳の両側からの各光束Ｔａ、Ｔｂが第１ＡＦ画素１１ａおよび第２ＡＦ画素１１ｂで受光される。ここで、図９のように配置されたａ系列の画素ａ１〜ａ３を含むＡＦラインＬｆでのａ系列の画素出力は、図１０のグラフＧａ(実線で図示)のように表される。一方、図９のように配置されたｂ系列の画素ｂ１〜ｂ３を含むＡＦラインＬｆでのｂ系列の画素出力は、図１０のグラフＧｂ(破線で図示)のように表される。
【００８８】
図１０に表されたグラフＧａとグラフＧｂとを比較すると、ａ系列の画素出力とｂ系列の画素出力とは、ＡＦラインＬｆ方向にずれ量(シフト量)Ｓｆだけ位相差が生じていることが分かる。
【００８９】
一方、上記のシフト量Ｓｆと、撮像素子１０１の撮像面に対して焦点面がデフォーカスしている量(デフォーカス量)Ｄｆとの関係は、図１１に示す１次関数のグラフＧｃで表される。このグラフＧｃの傾きについては、工場試験等によって予め取得できるものである。
【００９０】
よって、撮像素子１０１のＡＦラインＬｆの出力に基づき位相差ＡＦ演算回路７７で上記のシフト量Ｓｆを求めた後に、位相差ＡＦ制御部６２Ｂにおいて図１１のグラフＧｃに基づきデフォーカス量Ｄｆを算出し、算出されたデフォーカス量Ｄｆに相当する駆動量をフォーカスレンズ２１１に与えることで、フォーカスレンズ２１１を合焦位置に移動させる位相差ＡＦが可能となる。
【００９１】
このように、撮像装置１Ａでは、撮像素子１０１の受光面に組み込まれた受光素子からの出力信号を用いた位相差検出方式の自動合焦動作（「撮像素子１０１による位相差ＡＦ動作」とも称する）を実行することが可能である。
【００９２】
また、撮像装置１Ａは、撮像素子１０１による位相差ＡＦ動作の他に、ＡＦモジュール１０７による位相差ＡＦ動作およびコントラストＡＦ動作を行う機能を有しているが、これらの各ＡＦ動作が実行可能であるか否かは、選択されているファインダモードに応じて異なる。
【００９３】
具体的には、ＯＶＦモードにおいては、ミラーダウン状態（図３）となり、被写体光の一部がＡＦモジュール１０７に導かれるため、ＡＦ動作としては、ＡＦモジュール１０７内の受光素子からの出力信号を用いた位相差検出方式のＡＦ動作（「ＡＦモジュール１０７による位相差ＡＦ動作」とも称する）が実行可能となる。
【００９４】
一方、ＥＶＦモードにおいては、ミラーアップ状態（図４）となり、被写体光が撮像素子１０１に導かれるため、ＡＦ動作としては、撮像素子１０１による位相差ＡＦ動作および／またはコントラストＡＦ動作が実行可能となる。なお、ＥＶＦモードにおけるＡＦ動作として、撮像素子１０１を用いたＡＦ動作（撮像素子１０１による位相差ＡＦ動作およびコントラストＡＦ動作）のうち、いずれのＡＦ動作を実行するかについては、メニュー画面上のメニュー操作によって決定することができる。
【００９５】
＜撮像装置１Ａの基本動作＞
次に、撮像装置１Ａの基本動作について説明する。図１２および図１３は、撮像装置１Ａの撮影動作のフローチャートである。図１４および図１５は、ＬＣＤ３１１へのＡＦエリアＥｆの表示例を示す図である。
【００９６】
撮像装置１Ａのモード設定ダイアル３０５を用いたダイアル操作によって、撮影モードが選択された場合は、図１２および図１３に示す撮影動作が実行される。
【００９７】
具体的には、図１２に示されるように、まず、ステップＳＰ１では、表示切替スイッチ８５の操作によって、ＥＶＦモードが選択されているか否かが判定される。ＥＶＦモードが選択されていないと判定されると、ステップＳＰ２１（図１３）へ移行し、ＯＶＦモードにおける構図決め動作が実行可能となる。ステップＳＰ２１以降の各工程については後述する。
【００９８】
一方、ＥＶＦモードが選択されていると判定されると、ステップＳＰ２へ移行し、ＥＶＦモードにおける構図決め動作が実行可能となる。
【００９９】
具体的には、ステップＳＰ２では、ミラー部１０３が駆動され、ミラー部１０３は、交換レンズ２を通過する被写体光の光路から退避した状態となる。
【０１００】
ステップＳＰ３では、シャッターユニット４０が開状態にされ、ステップＳＰ４では、撮像素子１０１が起動され、露光によって画像信号を生成可能な状態とされる。
【０１０１】
ステップＳＰ５では、ＬＣＤ３１１への給電が開始され、撮像素子１０１において順次に生成される画像信号に基づいて、表示制御部６２ＡによってＬＣＤ３１１へライブビュー画像の表示が開始される。
【０１０２】
また、表示制御部６２Ａによって、ＡＦエリアＥｆがＬＣＤ３１１に表示される。具体的には、図１４に示されるように、ＬＣＤ３１１には、撮像素子１０１を利用したＡＦ動作に用いられるＡＦエリア（「像ＡＦエリア」とも称する）ＦＲ１（図１４において実線で描かれた矩形領域）がライブビュー画像に合成して表示されるとともに、ＡＦモジュール１０７による位相差ＡＦ動作に用いられるＡＦエリア（「モジュールＡＦエリア」とも称する）ＦＲ２（図１４において破線で描かれた矩形領域）もライブビュー画像に合成して表示される。
【０１０３】
このように、ＥＶＦモードにおいて、ＡＦモジュール１０７による位相差ＡＦ動作に用いられるモジュールＡＦエリアＦＲ２をＬＣＤ３１１に表示させることによれば、ユーザは、ＥＶＦモードにおいてもＯＶＦモードの際に用いられるモジュールＡＦエリアＦＲ２を認識することができる。これによれば、ユーザは、ＥＶＦモードにおけるフレーミング終了後に、ＥＶＦモードからＯＶＦモードへのモード変更を予定している場合にも、モード変更前のＥＶＦモードにおいて予めモジュールＡＦエリアＦＲ２に被写体を合わせるようにフレーミングすることができるので、モード変更後に再度の画角合わせを行うことを回避できる。
【０１０４】
なお、ＬＣＤ３１１におけるＡＦエリアの他の表示態様としては、例えば、図１５に示すように、像ＡＦエリアＦＲ１とモジュールＡＦエリアＦＲ２とでＡＦエリアを示す枠の形状を異なるものにしてもよい。或いは、像ＡＦエリアＦＲ１を示す枠を赤色で表示し、モジュールＡＦエリアＦＲ２を示す枠を青色で表示する等、枠を色分けして表示してもよい。
【０１０５】
また、図１４および図１５においては、モジュールＡＦエリアＦＲ２が像ＡＦエリアＦＲ１上に表示されており、モジュールＡＦエリアＦＲ２として認識されるように表示された領域も像ＡＦエリアＦＲ１として機能する。すなわち、図１４および図１５においてモジュールＡＦエリアＦＲ２として表示された領域は、撮像素子１０１を利用したＡＦ動作にも用いられる。
【０１０６】
次のステップＳＰ６（図１２）では、ファインダモードが切り替えられたか否かが判定される。具体的には、表示切替スイッチ８５の接点位置が検出され、表示切替スイッチ８５がＯＶＦモードに設定されている（接点位置が「光学」である）場合は、ステップＳＰ１１へ移行し、ＥＶＦモードからＯＶＦモードへとモードが変更（遷移）される。詳細は、後述する。
【０１０７】
一方、表示切替スイッチ８５がＥＶＦモードに設定されている（接点位置が「モニタ」である）場合は、ステップＳＰ７へと移行する。
【０１０８】
ステップＳＰ７では、シャッターボタン３０７が半押し状態であるか否かが検出される。半押し状態が検出されない場合は、ステップＳＰ６に移行し、再びステップＳＰ６の処理が実行される。また、半押し状態が検出されると、ステップＳＰ８に移行する。
【０１０９】
ステップＳＰ８では、撮像素子１０１による位相差ＡＦ動作が実行される。
【０１１０】
ステップＳＰ９では、シャッターボタン３０７が全押し状態であるか否かが検出される。全押し状態が検出されない場合は、ステップＳＰ６に移行し、再びステップＳＰ６の処理が実行される。また、全押し状態が検出されると、ステップＳＰ１０に移行する。
【０１１１】
ステップＳＰ１０では、撮影（露光）が行われる。具体的には、被写体光が撮像素子１０１に入射されるミラーアップ状態で、撮像素子１０１による露光が開始される。そして、撮像素子１０１により取得された画像信号に所定の画像処理が施されてメモリカード６７等に記録される。
【０１１２】
ステップＳＰ１０の工程が終了すると、ステップＳＰ６へと移行し、再びステップＳＰ６の処理が実行される。
【０１１３】
次に、ステップＳＰ６（図１２）において、表示切替スイッチ８５がＯＶＦモードに設定されていると判定された場合の処理について説明する。
【０１１４】
この場合は、ステップＳＰ１１へと移行し、ＯＶＦモードへとファインダモードが遷移（モード遷移）する。
【０１１５】
具体的には、ステップＳＰ１１では、ミラー部１０３が駆動され、ミラー部１０３は、被写体光の光路に配置されたミラーダウン状態となる。
【０１１６】
次のステップＳＰ１２では、シャッターユニット４０が閉状態にされるとともに、ステップＳＰ１３では、撮像素子１０１が停止される。そして、ステップＳＰ１４では、ＬＣＤ３１１がオフされ、ステップＳＰ２２（図１３）へと移行する。
【０１１７】
ステップＳＰ２２への移行後に、シャッターボタン３０７の操作がなくファインダモードの遷移が検出されると（ステップＳＰ２１）、ステップＳＰ２へと移行し、ＯＶＦモードからＥＶＦモードへとモード遷移する（後述）。
【０１１８】
このように、ＥＶＦモードにおいては、撮像素子１０１において順次に生成される画像信号に基づいて、ＬＣＤ３１１へのライブビュー表示が行われるとともに、ＡＦエリアＥｆがＬＣＤ３１１に表示される。表示されるＡＦエリアＥｆとしては、撮像素子１０１を利用したＡＦ動作に用いられる像ＡＦエリアＦＲ１に加えて、ＡＦモジュール１０７による位相差ＡＦ動作に用いられるモジュールＡＦエリアＦＲ２が表示される。
【０１１９】
次に、ステップＳＰ１において、表示切替スイッチ８５の操作によって、ＥＶＦモードが選択されていない（ＯＶＦモードが選択されている）と判定され、ステップＳＰ２１（図１３）へ移行した場合について説明する。
【０１２０】
この場合、まず、ステップＳＰ２１では、上述のステップＳＰ６と同様に、表示切替スイッチ８５の接点位置が検出され、ファインダモードが切り替えられたか否かが判定される。接点位置がＯＶＦモードに設定されている（接点位置が「光学」である）場合は、ファインダモードの切り替えはなかったものとしてステップＳＰ２２へ移行し、接点位置がＥＶＦモードに設定されている（接点位置が「モニタ」である）場合は、ステップＳＰ２へと移行する。
【０１２１】
次のステップＳＰ２２では、上述のステップＳＰ７と同様に、シャッターボタン３０７が半押し状態であるか否かが検出される。半押し状態が検出されない場合は、ステップＳＰ２１に移行し、再びステップＳＰ２１の処理が実行される。一方、半押し状態が検出されると、ステップＳＰ２３に移行する。
【０１２２】
ステップＳＰ２３では、ＡＦモジュール１０７による位相差ＡＦ動作が行われる。
【０１２３】
次のステップＳＰ２４では、シャッターボタン３０７の半押し状態が解除されたか否かが検出される。半押し状態の解除が検出されると、ステップＳＰ２１へと移行し、再びステップＳＰ２１の処理が実行される。一方、半押し状態の解除が検出されなければ、ステップＳＰ２５へと移行する。
【０１２４】
ステップＳＰ２５では、上述のステップＳＰ９と同様に、シャッターボタン３０７が全押し状態であるか否かが検出される。シャッターボタン３０７の全押し状態が検出されない場合は、ステップＳＰ２４へと移行し、再びステップＳＰ２４の処理が実行される。一方、シャッターボタン３０７の全押し状態が検出されると、上述のステップＳＰ１０へと移行し撮影が行われる。
【０１２５】
以上のように、撮像装置１Ａは、ＡＦモジュール１０７の測距センサで位相差検出が行われるモジュールＡＦエリアＦＲ２をプレビュー画像に合成して表示させるので、プレビュー画像表示後に位相差検出方式のＡＦ制御を行う場合に、再度の画角合わせを回避することが可能となる。
【０１２６】
＜２．第２実施形態＞
次に、本発明の第２実施形態について説明する。第２実施形態に係る撮像装置１Ｂは、全体制御部６２においてＡＦエリア規定部６２Ｄを機能的に実現し、ユーザによる設定に応じて像ＡＦエリアＦＲ１とモジュールＡＦエリアＦＲ２とを共通化する。図１６は、撮像装置１Ｂの電気的な構成を示すブロック図である。図１７は、ＬＣＤ３１１へのＡＦエリアの表示例を示す図である。
【０１２７】
なお、第２実施形態に係る撮像装置１Ｂは、第１実施形態に係る撮像装置１Ａとほぼ同様の構成および機能（図１〜図４、図１６参照）を有しており、共通する部分については同じ符号を付して説明を省略する。
【０１２８】
図１６に示されるように、撮像装置１Ｂの全体制御部６２は、プログラムの実行によって、表示制御部６２Ａ、位相差ＡＦ制御部６２Ｂ、コントラストＡＦ制御部６２Ｃ、およびＡＦエリア規定部６２Ｄを機能的に実現する。
【０１２９】
ＡＦエリア規定部６２Ｄは、ＡＦモジュール１０７による位相差ＡＦ動作に用いられるモジュールＡＦエリアＦＲ２において、撮像素子１０１による位相差ＡＦ動作またはコントラストＡＦ動作に用いられる焦点情報を取得するように制御する。すなわち、ＡＦエリア規定部６２Ｄは、撮像素子１０１においてモジュールＡＦエリアＦＲ２が示す領域（「対応領域」とも称する）に像ＡＦエリアＦＲ１を規定することによって、ＡＦエリアを共通化する。
【０１３０】
なお、このようにＡＦエリア規定部６２Ｄによって、モジュールＡＦエリアＦＲ２と像ＡＦエリアＦＲ１とが共通化された場合は、ＬＣＤ３１１には、図１７に示されるように、ＡＦモジュール１０７による位相差ＡＦ動作に用いることが可能なモジュールＡＦエリアＦＲ２が表示されることになる（図１２のステップＳＰ５）。
【０１３１】
また、ＡＦエリアの共通化を実行するか否かは、ＬＣＤ３１１に表示されるメニュー画面上のメニュー操作によって決定することができる。
【０１３２】
以上のように、撮像装置１Ｂは、撮像装置１Ａの構成に加えて撮像素子１０１においてモジュールＡＦエリアＦＲ２が示す対応領域に像ＡＦエリアＦＲ１を規定するＡＦエリア規定部６２Ｄをさらに備えている。これによれば、ＥＶＦモードにおける像ＡＦエリアＦＲ１と、ＯＶＦモードにおけるモジュールＡＦエリアＦＲ２とが共通化することができるので、ユーザは、ファインダモード間のＡＦエリアのズレを気にすることなくフレーミングを行うことが可能になる。
【０１３３】
＜３．第３実施形態＞
次に、本発明の第３実施形態について説明する。第１実施形態に係る撮像装置１Ａでは、ライブビュー表示の際（図１２のステップＳＰ５）に、像ＡＦエリアＦＲ１とモジュールＡＦエリアＦＲ２とがＬＣＤ３１１に同時に表示されていたが、第３実施形態に係る撮像装置１Ｃでは、ユーザの設定に応じてＬＣＤ３１１へのＡＦエリアの表示モードが変更される。
【０１３４】
なお、第３実施形態に係る撮像装置１Ｃは、表示制御部６２ＡがＡＦエリアの表示モード変更機能を有している点以外は、第１実施形態に係る撮像装置１Ａと同様の構成および機能（図１〜図５参照）を備えている。
【０１３５】
上述のように、撮像装置１Ｃの表示制御部６２Ａは、ユーザの操作（詳細には、メニュー操作または撮像装置１Ｃ上に設けられたボタン等の操作部材を用いた操作）に応じて、ライブビュー表示の際にＬＣＤ３１１に表示されるＡＦエリアの表示手法を変更する機能（ＡＦエリアの表示モード変更機能）を有している。図１８は、ＬＣＤ３１１へのＡＦエリアの表示手法を示す図である。
【０１３６】
具体的には、図１８に示されるように、撮像装置１Ｃでは、ユーザは、像ＡＦエリアＦＲ１とモジュールＡＦエリアＦＲ２とをＬＣＤ３１１に同時に表示する表示モードＨＭ１と、像ＡＦエリアＦＲ１を非表示としてモジュールＡＦエリアＦＲ２をＬＣＤ３１１に表示する表示モードＨＭ２とを択一的に有効化することができる。
【０１３７】
このように、表示変更機能を有する撮像装置１Ｃによれば、ユーザは、ライブビュー表示の際のＡＦエリアの表示手法を、自分の好みに応じて変更することができる。
【図面の簡単な説明】
【０１３８】
【図１】本発明の第１実施形態に係る撮像装置の外観構成を示す図である。
【図２】本発明の第１実施形態に係る撮像装置の外観構成を示す図である。
【図３】撮像装置の縦断面図である。
【図４】撮像装置の縦断面図である。
【図５】撮像装置の電気的な構成を示すブロック図である。
【図６】撮像素子の構成を説明するための図である。
【図７】撮像素子の構成を説明するための図である。
【図８】ＡＦラインを利用した位相差ＡＦの原理を説明するための図である。
【図９】撮影レンズの射出瞳から入射される光束と撮像素子のＡＦ画素との関係を示す図である。
【図１０】ＡＦラインの画素出力を示す図である。
【図１１】画素出力のシフト量とデフォーカス量とを示す図である。
【図１２】撮像装置の撮影動作のフローチャートである。
【図１３】撮像装置の撮影動作のフローチャートである。
【図１４】ＬＣＤへのＡＦエリアの表示例を示す図である。
【図１５】ＬＣＤへのＡＦエリアの表示例を示す図である。
【図１６】第２実施形態に係る撮像装置の電気的な構成を示すブロック図である。
【図１７】ＬＣＤへのＡＦエリアの表示例を示す図である。
【図１８】ＬＣＤへのＡＦエリアの表示手法を示す図である。
【符号の説明】
【０１３９】
１Ａ，１Ｂ，１Ｃ  撮像装置
１０１  撮像素子
１０３  ミラー部
１０７  位相差ＡＦモジュール
３１１  ＬＣＤ
６２  全体制御部
６２Ａ  表示制御部
６２Ｂ  位相差ＡＦ制御部
６２Ｃ  位相差ＡＦ制御部
６２Ｄ  エリア設定部
７２Ａ  ミラー駆動制御部
ＦＲ１  像ＡＦエリア
ＦＲ２  モジュールＡＦエリア
【図１】
0005071044.tif 000002
【図２】
0005071044.tif 000003
【図３】
0005071044.tif 000004
【図４】
0005071044.tif 000005
【図５】
0005071044.tif 000006
【図６】
0005071044.tif 000007
【図７】
0005071044.tif 000008
【図８】
0005071044.tif 000009
【図９】
0005071044.tif 000010
【図１０】
0005071044.tif 000011
【図１１】
0005071044.tif 000012
【図１２】
0005071044.tif 000013
【図１３】
0005071044.tif 000014
【図１４】
0005071044.tif 000015
【図１５】
0005071044.tif 000016
【図１６】
0005071044.tif 000017
【図１７】
0005071044.tif 000018
【図１８】
0005071044.tif 000019